(57)【要約】【課題】玄関子機同士を無線ネットワークにて構築することにより、周辺の玄関子機で情報を受信した時に、居室親機で情報を報知することを目的とする。【解決手段】インターホンシステムにおいて、玄関子機は、無線情報を受信する無線情報受信部と、無線情報受信部で受信した無線情報に自玄関ＩＤを付加する玄関ＩＤ付加部と、玄関ＩＤ付加部にて付加された無線情報データを無線ネットワークに送信、無線ネットワークからの無線情報データを受信する無線ネットワーク送受信部と、無線ネットワーク送受信部で受信した無線情報データに付加された玄関ＩＤを取り出す玄関ＩＤ取出部と、自玄関子機以外の所定の玄関ＩＤを記憶した記憶部と、無線情報受信部で無線情報を受信した時または記憶部で記憶された玄関ＩＤと判断された時に居室親機に無線情報データを送信することを特徴とする。【選択図】図１
2010154004.tif 000002
【特許請求の範囲】
【請求項１】
無線ネットワーク（３）で接続され、無線端末（４）からの無線情報を受信することができる複数の玄関子機（１ａ、１ｂ、・・・１ｎ）と、通信・通話を行う居室親機（２ａ、２ｂ、・・・２ｎ）で構成されたインターホンシステムにおいて、
前記玄関子機は、前記無線情報を受信する無線情報受信部（１０７）と、前記無線情報受信部で受信した前記無線情報に自玄関ＩＤを付加する玄関ＩＤ付加部（１０９）と、前記玄関ＩＤ付加部にて付加された無線情報データを前記無線ネットワークに送信、前記無線ネットワークからの無線情報データを受信する無線ネットワーク送受信部（１０６）と、前記無線ネットワーク送受信部で受信した無線情報データに付加された玄関ＩＤを取り出す玄関ＩＤ取出部（１１０）と、自玄関子機以外の所定の玄関ＩＤを記憶した記憶部（１０８）と、前記無線情報受信部で無線情報を受信した時または前記記憶部で記憶された玄関ＩＤと判断された時に、前記居室親機に前記無線情報データを送信する子機ＣＰＵ（１０１）を備え、
前記居室親機は、前記無線情報データを受信したとき、無線端末の所有者が付近にいることを報知する親機報知部（２０３）を備えたことを特徴とするインターホンシステム。
【請求項２】
前記玄関子機は、玄関先に報知する子機報知部（１０３）を備え、
前記居室親機は、前記無線情報データを受信した時に、操作を行うことができる玄関子機報知ボタン（２０６）と、前記玄関子機報知ボタンを操作した時に、前記子機報知部に前記無線端末の所有者に停止させるよう報知させる無線端末所有者停止信号を送信する親機ＣＰＵ（２０１）を備えたことを特徴とする請求項１記載のインターホンシステム。
【発明の詳細な説明】
【技術分野】
【０００１】
本発明は、インターホンシステムに係わり、特に玄関子機で無線ネットワークを構築して屋外の情報を親機に通知するインターホンに関する。
【背景技術】
【０００２】
従来のインターホンシステムには、外部からの情報を室内に通知するインターホンシステムが知られている。例えば、特許文献１に記載されたインターホンシステムには、無線情報端末からの情報を受信する玄関子機を備えており、玄関子機で受信した情報を居室親機にて報知していた。
【特許文献１】特開２００７−２０８５０７
【発明の開示】
【発明が解決しようとする課題】
【０００３】
しかしながら、無線情報端末から情報を取得し、居住者が確認した時には、無線情報端末は玄関子機から離れてしまっており、無線情報端末を所有した人物に連絡をとることが困難であった。
【０００４】
本発明は、この難点を解決するためになされたもので、玄関子機同士を無線ネットワークにて構築することにより、周辺の玄関子機で情報を受信した時に、居室親機で情報を報知することを目的とする。
【課題を解決するための手段】
【０００５】
上記課題を解決するために、請求項１に記載する発明は、無線ネットワークで接続され、無線端末からの無線情報を受信することができる複数の玄関子機と、通信・通話を行う居室親機で構成されたインターホンシステムにおいて、玄関子機は、無線情報を受信する無線情報受信部と、無線情報受信部で受信した無線情報に自玄関ＩＤを付加する玄関ＩＤ付加部と、玄関ＩＤ付加部にて付加された無線情報データを無線ネットワークに送信、無線ネットワークからの無線情報データを受信する無線ネットワーク送受信部と、無線ネットワーク送受信部で受信した無線情報データに付加された玄関ＩＤを取り出す玄関ＩＤ取出部と、自玄関子機以外の所定の玄関ＩＤを記憶した記憶部と、無線情報受信部で無線情報を受信した時または記憶部で記憶された玄関ＩＤと判断された時に居室親機に無線情報データを送信する子機ＣＰＵを備え、居室親機は、無線情報データを受信したとき、無線端末の所有者が付近にいることを報知する親機報知部を備えたことを特徴とする。
【０００６】
請求項２に記載する発明は、玄関子機は、玄関先に報知する子機報知部を備え、居室親機は、無線情報データを受信した時に、操作を行うことができる玄関子機報知ボタンと、玄関子機報知ボタンを操作した時に、子機報知部に無線端末の所有者に停止させるよう報知させる無線端末所有者停止信号を送信する親機ＣＰＵを備えたことを特徴とする。
【発明の効果】
【０００７】
請求項１の発明によれば、自宅周辺の玄関子機で無線端末からの情報を受信した時、自居室で情報を確認することができる。
請求項２の発明によれば、無線端末から情報を入手した時、玄関先に報知することができる。
【発明を実施するための最良の形態】
【０００８】
以下、本発明によるハンズフリーインターホンシステムを適用した好ましい形態の実施例について、図を参照して説明する。本発明は図１に示す通り、玄関子機１ａ、１ｂ、・・・１ｎと、居室親機２ａ、２ｂ・・・２ｎと、玄関子機１ａ、１ｂ、・・・１ｎを無線で通信を行う無線ネットワーク３と、車両等に備えられ玄関子機１ａ、１ｂ、・・・１ｎに広告情報を送信するための無線端末４とから構成されている。図２は玄関子機１ａ、１ｂ、・・・１ｎと居室親機２ａ、２ｂ・・・２ｎのブロック図を示している。
【０００９】
玄関子機１ａ、１ｂ、・・・１ｎは、居室親機２ａ、２ｂ・・・２ｎを呼出すための呼出ボタン１０２と、居室親機２ａ、２ｂ・・・２ｎと通話をするための子機通話部１０４と、後に説明する居室親機２ａ、２ｂ・・・２ｎから無線端末所有者停止信号が送信されてきた時に報知する子機報知部１０３と、無線端末４から送られてきた無線情報を受信する無線情報受信部１０７と、無線情報に自玄関子機ＩＤを付加する玄関ＩＤ付加部１０９と、玄関ＩＤ付加部１０９にて付加された無線情報データを無線ネットワーク３に送信し、無線ネットワーク３からの無線情報データを受信する無線ネットワーク送受信部１０６と、無線ネットワーク送受信部１０６にて受信した無線情報データから玄関ＩＤを取り出す玄関ＩＤ取出部１１０と、自玄関子機以外の所定の玄関ＩＤを記憶した記憶部１０８と、無線情報受信部１０７で無線情報を受信した時または記憶部１０８で記憶された玄関ＩＤと判断された時に居室親機２ａ、２ｂ・・・２ｎに無線情報データを送信する子機ＣＰＵ１０１と、居室親機２ａ、２ｂ・・・２ｎと通信通話を行う子機Ｉ／Ｆ１０５で構成されている。
【００１０】
居室親機２ａ、２ｂ・・・２ｎは、玄関子機１ａ、１ｂ、・・・１ｎから呼出された時に応答するための通話ボタン２０２と、玄関子機１ａ、１ｂ、・・・１ｎと通話をするための親機通話部２０４と、玄関子機１ａ、１ｂ、・・・１ｎから無線情報データを受信した時に報知する親機報知部２０３と、無線端末の所有者に停止報知させるための無線端末所有者停止信号を玄関子機１ａ、１ｂ、・・・１ｎに送信する玄関子機報知ボタン２０６と、玄関子機報知ボタン２０６を操作した時に、子機報知部１０３に無線端末の所有者に停止させるよう報知させる無線端末所有者停止信号を送信する親機ＣＰＵ２０１、玄関子機１ａ、１ｂ、・・・１ｎと通信通話を行う親機Ｉ／Ｆ２０５で構成されている。
【００１１】
このようなインターホンシステムの動作説明を行う。玄関子機１ａ、１ｂ、・・・１ｎの呼出ボタン１０２を操作して居室親機２ａ、２ｂ・・・２ｎと通話する動作は一般に知られているため省略する。
【００１２】
次に、玄関子機１ａで車両等に備えられた無線端末４の無線情報を受信した時の動作を説明する。
例えば、焼き芋販売の車両等に備えられた無線端末４からの無線情報を玄関子機１ａの無線情報受信部１０７で受信すると、子機ＣＰＵ１０１は、子機Ｉ／Ｆ１０５、親機Ｉ／Ｆ２０５、親機ＣＰＵ２０１を介して親機報知部２０３にて車両等が付近にいることを報知する。このときに居室親機２の玄関子機報知ボタン２０６を操作すると、親機ＣＰＵ２０１は、親機Ｉ／Ｆ２０５、子機Ｉ／Ｆ１０５、子機ＣＰＵ１０１を介して子機報知部１０３にて車両に止まってもらうように報知を行うことができる。
【００１３】
また、周囲の玄関子機にも車両等が付近にいることを知らせることができる。玄関子機１ａの無線情報受信部１０７で無線情報を受信した時、玄関ＩＤ付加部１０９にて無線情報に玄関ＩＤを付加させ、無線情報データとして無線上ネットワーク送受信部１０６を介して無線ネットワーク３に送信する。
玄関子機１ａから送信された他の玄関子機１ｂ、１ｃ・・・１ｎは無線ネットワーク送受信部１０６を介して玄関ＩＤ取出部１１０にて無線情報データを受信する。このとき、玄関子機取出部１１０にて受信した無線情報データから玄関子機１ａの玄関ＩＤを取り出し、記憶部１０８に送信される。記憶部１０８には予め所定の玄関ＩＤが記憶されており、玄関ＩＤ取出部１１０で取り出した玄関ＩＤと記憶部１０８に記憶されている玄関ＩＤが一致した時、子機ＣＰＵ１０１は、子機Ｉ／Ｆ１０５、親機Ｉ／Ｆ２０５、親機ＣＰＵ２０１を介して親機報知部２０３にて車両等が付近にいることを報知する。図３にはそれぞれの玄関子機記１ａ、１ｂ、・・・１ｎの憶部１０８に記憶された玄関子機ＩＤを示した表を記した図である。従って、玄関子機１ｂ、１ｎの記憶部１０８に玄関子機１ａの玄関ＩＤ記憶されているため、玄関子機１ａから送信された無線情報は、居室親機２ｂ、２ｎの親機報知部２０３に報知される。その後、居室親機２の玄関子機報知ボタン２０６を操作すると、親機ＣＰＵ２０１は、親機Ｉ／Ｆ２０５、子機Ｉ／Ｆ１０５、子機ＣＰＵ１０１を介して子機報知部１０３にて車両に止まってもらうように報知を行うことができる。
【００１４】
従って、他玄関子機で受信した無線情報を他の親機で報知し、無線端末を所有した車両等に報知させることができる。
【図面の簡単な説明】
【００１５】
【図１】本発明によるインターホンシステムのシステム構成図である。
【図２】本発明によるインターホンシステムのブロック図である。
【図３】本発明によるインターホンシステムの玄関子機に記憶された玄関ＩＤの表を記した図である。
【符号の説明】
【００１６】
１ａ、１ｂ、・・・１ｎ      玄関子機
１０６                    無線ネットワーク送受信部
１０７                    無線情報受信部
１０８                    記憶部
１０９                    玄関ＩＤ付加部
１１０                    玄関ＩＤ取出部
２ａ、２ｂ、・・・２ｎ      親機
２０３                    親機報知部
【図１】
2010154004.tif 000003
【図２】
2010154004.tif 000004
【図３】
2010154004.tif 000005